(57)【要約】【課題】吊下げ状態であっても記録紙を容易に切断できる手切りカッター付きの携帯型プリンターを提供する。【解決手段】情報が印刷された記録紙Ｐを排出する略長方形状の紙排出口２０が外装ケース１２の面１２ａに設けられるとともに、オペレーターの身体に吊下げ状態で保持可能な携帯型プリンター１０であって、前記外装ケース１２の前記一面１２ａは、前記吊下げ状態において、重力方向に沿う方向に延在する面であり、前記紙排出口２０には、前記吊下げ状態において前記紙排出口２０から排出される前記記録紙Ｐの進行方向側に、前記記録紙Ｐの幅方向に延伸する直線状の刃部４２が形成された手切りカッター４０が設けられ、前記手切りカッター４０は、前記記録紙Ｐの少なくとも一方の端部が通過する領域に幅方向の動きを規制する規制部４３，５０が設けられている。【選択図】図１
2014151641.tif 000002
【特許請求の範囲】
【請求項１】
情報が印刷された記録紙を排出する略長方形状の紙排出口が筐体の一面に設けられるとともに、オペレーターの身体に吊下げ状態で保持可能な携帯型プリンターであって、
前記筐体の前記一面は、前記吊下げ状態において、重力方向に沿う方向に延在する面であり、
前記紙排出口には、前記吊下げ状態において前記紙排出口から排出される前記記録紙の進行方向側に、前記記録紙の幅方向に延伸する直線状の刃部が形成された手切りカッターが設けられ、
前記手切りカッターは、前記記録紙の少なくとも一方の端部が通過する領域に幅方向の動きを規制する規制部が設けられていることを特徴とする携帯型プリンター。
【請求項２】
前記規制部は、前記手切りカッターの前記直線状の刃部において、少なくとも一方の前記記録紙の端部が通過する位置より外側に形成された板状突起であることを特徴とする請求項１に記載の携帯型プリンター。
【請求項３】
前記規制部は、前記手切りカッターの前記直線状の刃部において、少なくとも一方の前記記録紙の端部が通過する領域に形成された凹部であることを特徴とする請求項１に記載の携帯型プリンター。
【請求項４】
前記紙排出口より排出される前記記録紙は、前記吊下げ状態において上方より視認される面に情報が印刷されており、
前記手切りカッターは、略長方形状に形成され、前記紙排出口が形成された前記一面より所定の角度で立ち上がっていることを特徴とする請求項１乃至３のいずれか一項に記載の携帯型プリンター。
【発明の詳細な説明】
【技術分野】
【０００１】
本発明は、携帯型プリンターに関する。
【背景技術】
【０００２】
近年、電子機器の小形化、軽量化や通信手段の発達により、人が携帯することのできる携帯型プリンターが普及している。この種の携帯型プリンターは様々な分野で用いられている。例えば、物流・商流の分野では、現場において、荷物や商品の受発注書、支払に関するレシートの発行等に適用され、顧客の利便性が増すとともに業務の効率化に貢献している（例えば、特許文献１参照）。また、携帯型プリンターは、持ち運びの利便性を鑑みて本体部にベルトクリップやストラップフックが設けられ、オペレーターのベルトや肩より吊下げられ使用される（例えば、特許文献２参照）。
【先行技術文献】
【特許文献】
【０００３】
【特許文献１】特開２００７−２６１７７１号公報
【特許文献２】特開２０１２−０４５８０４号公報  図１，図３
【発明の概要】
【発明が解決しようとする課題】
【０００４】
上述の携帯型プリンターは、バーコードリーダー等の情報入力端末と併用して使用される場合が多い。そのため、オペレーターは、商品等を保持しながら情報入力端末を操作して情報を入力する。そして、携帯型プリンターを用いてレシート等を印刷する。レシート等は、一般に携帯型プリンターの紙排出口に設けられている手切りカッターで切断され発行される。
【０００５】
このレシート等の切断を確実に行うためには、オペレーターは、一方の手で携帯型プリンターを保持して他方の手でレシート等の一部を掴み切断する必要があった。そのため、商品や情報入力端末を一旦載置する必要があり、作業が煩雑であった。携帯型プリンターをベルトや肩より吊下げたまま片手でレシート等を切断すると記録紙や携帯型プリンターが動いてしまい、レシート等の切断が確実に行われず、斜め切断されたり破れたりしてしまうことがあった。
【課題を解決するための手段】
【０００６】
本発明は、上述の課題の少なくとも一部を解決するためになされたものであり、以下の形態または適用例として実現することが可能である。
【０００７】
（適用例１）情報が印刷された記録紙を排出する略長方形状の紙排出口が筐体の一面に設けられるとともに、オペレーターの身体に吊下げ状態で保持可能な携帯型プリンターであって、前記筐体の前記一面は、前記吊下げ状態において、重力方向に沿う方向に延在する面であり、前記紙排出口には、前記吊下げ状態において前記紙排出口から排出される前記記録紙の進行方向側に、前記記録紙の幅方向に延伸する直線状の刃部が形成された手切りカッターが設けられ、前記手切りカッターは、前記記録紙の少なくとも一方の端部が通過する領域に記録紙の幅方向の動きを規制する規制部が設けられていることを特徴とする携帯型プリンター。
【０００８】
この構成によれば、携帯型プリンターは、吊下げ状態において、紙排出口における印刷済の記録紙の進行方向側の位置、すなわち記録紙が垂れ下がる側の位置に記録紙の幅方向に延伸する手切りカッターを備える。そのため、オペレーターが記録紙をカットする場合、記録紙に対して所謂重力方向に力を付加すればよい。その結果、吊下げ状態であっても携帯型プリンターの余分な動きを抑えて、記録紙を比較的容易に切断することができる。また、手切りカッターの刃部には、記録紙の少なくとも一方の端部が通過する領域に記録紙の幅方向の動きを規制する規制部が設けられている。そのため、記録紙の重力方向と交差する方向の動きを規制して、記録紙が滑ったりして記録紙に付加される力が逃げてしまうことを低減できる。従って、記録紙をより確実に切断することができる。
【０００９】
（適用例２）前記規制部は、前記手切りカッターの前記直線状の刃部において、少なくとも一方の前記記録紙の端部が通過する位置より外側に形成された板状突起であることを特徴とする上記の携帯型プリンター。
【００１０】
手切りカッターを用いて記録紙を切断するとき、オペレーターは、記録紙の一部を手で掴み、記録紙のどちらか一端を刃部と交差させ、順次、力を付加しながら他端まで切断する。この構成によれば、直線状の刃部の、記録紙の端部が通過する位置より外側に板状突起が形成されている。そのため、切断される記録紙の端部が板状突起に当り、記録紙が幅方向に滑ることを低減することができる。その結果、記録紙に付加される力が逃げてしまうことを低減して、記録紙をより確実に切断することができる。
【００１１】
（適用例３）前記規制部は、前記手切りカッターの前記直線状の刃部において、少なくとも一方の前記記録紙の端部が通過する領域に形成された凹部であることを特徴とする上記の携帯型プリンター。
【００１２】
手切りカッターを用いて記録紙を切断するとき、オペレーターは、記録紙の一部を手で掴み、記録紙のどちらか一端を刃部と交差させ、順次、力を付加しながら他端まで切断する。この構成によれば、直線状の刃部において、記録紙の一端が刃部と交差する位置に凹部が設けられている。そのため、切断され始める記録紙の端部が凹部に喰いこみ、凹部を起点に、記録紙が幅方向に滑ることなく切断を開始することができる。その結果、記録紙に付加される力が逃げてしまうことを低減して、記録紙をより確実に切断することができる。このとき、凹部の記録紙が接触する稜線に刃が形成されていることが好ましい。
【００１３】
（適用例４）前記紙排出口より排出される前記記録紙は、前記吊下げ状態において上方より視認される面に情報が印刷されており、前記手切りカッターは、略長方形状に形成され、前記紙排出口が形成された前記一面より所定の角度で立ち上がっていることを特徴とする上記の携帯型プリンター。
【００１４】
この構成によれば、携帯プリンターによって情報が印刷され紙排出口より排出される記録紙は、所定の角度で立ち上がっている手切りカッターを乗り越えて重力方向に垂れ下がる。そのため、吊下げ状態で記録紙を切断するとき、記録紙を刃部と容易に交差させることができる。その結果、記録紙をより確実に切断することができる。また、オペレーターが視認可能な面に情報が印刷されている。手切りカッターは所定の角度で立ち上がっているため、記録紙の印刷面を容易に視認することができる。
【図面の簡単な説明】
【００１５】
【図１】携帯型プリンターの外観斜視図。
【図２】プリンター機構部の主要部を示す部分断面図。
【図３】第１実施形態に係る手切りカッターを説明する図。
【図４】第２実施形態に係る手切りカッターを説明する図。
【発明を実施するための形態】
【００１６】
以下、本発明の第１実施形態について図面を参照して説明する。なお、以下の説明で参照する図面では、説明および図示の便宜上、部材ないし部分の縦横の縮尺を実際のものとは異なるように表す場合がある。
【００１７】
（携帯型プリンターの全体構成について）
まず、携帯型プリンターの全体構成について、図１を参照して説明する。図１は、携帯型プリンターの外観斜視図であり、（ａ）は、携帯型プリンター全体の外観斜視図、（ｂ）は、開閉蓋を開けた状態を示す外観斜視図である。なお、図１に示すＸ方向は、本携帯型プリンターを吊下げ状態にしたときの重力方向を示し、Ｙ方向は、記録紙の幅方向を示し、Ｚ方向は、Ｘ方向およびＹ方向と直交する方向を示す。
【００１８】
携帯型プリンター１０は、筐体としての外装ケース１２と、後述するプリンター機構部３０（図２参照）と、図示しない制御部とを備えている。図１（ａ）に示すように、外装ケース１２は、図中Ｘ方向下部が曲面状に形成された扁平な略直方体形状を呈し、略箱形状のケース本体１４と、ケース本体１４の開口部を覆う上ケース１５と、開閉蓋１８とを備えている。上ケース１５は、ケース本体１４の開口部のＸ方向上部を覆い、電源スイッチ１６や紙送りスイッチ１７等を備える。開閉蓋１８は、ケース本体１４の曲面部に設けられた図示しない旋回支点を中心に開閉可能となっている。これら上ケース１５および開閉蓋１８は、外装ケース１２の面１２ａ（表面）を構成している。
【００１９】
上ケース１５と開閉蓋１８との接合部には長方形の穴形状を呈する紙排出口２０が形成されている。この紙排出口２０から印刷済の記録紙Ｐが排出される。外装ケース１２の面１２ａと対向する面１２ｂ（裏面）にはオペレーターが自身のベルトに挟むベルトクリップ２２が取り付けられている。また、外装ケース１２の側面１２ｃ，１２ｄのＸ方向上方向には、オペレーターが肩に掛けるショルダーベルトを取り付けるショルダーフック２４が設けられている。すなわち、本実施形態に係る携帯型プリンター１０を携帯する場合は、オペレーターがベルトに挟んで携帯するか、肩に掛けて携帯するかを任意に選択することができる。
【００２０】
図１（ｂ）に示すように、外装ケース１２の面１２ａのコーナー部には、開閉釦１９が設けられており、開閉釦１９を操作すると、開閉蓋１８が開放される。開閉蓋１８が開放されると、ロール紙Ｒを収容するロール紙収容部２６が現れる。また、開閉蓋１８が開放されると、紙排出口２０は、２つに分離される。以下、開閉蓋１８側の紙排出口２０を紙排出口２０ａと称し、上ケース１５側の紙排出口２０を紙排出口２０ｂと称する。開閉蓋１８側の紙排出口２０ａには、後述する記録紙ガイド２８、プラテン３４、手切りカッター４０が設けられている。
【００２１】
（プリンター機構部について）
次いで、プリンター機構部の構成について、図２を参照して説明する。図２は、プリンター機構部の主要部を示す部分断面図である。図２に示すＸ方向、Ｙ方向およびＺ方向は、図１に示すＸ方向、Ｙ方向およびＸ方向と同一な方向を示す。以下、携帯型プリンターとしてサーマルプリンターを適用した場合を例にとり説明する。サーマルプリンターは、記録紙として感熱紙を使用して、この感熱紙の発色層に対してサーマルヘッドによって選択的に加熱してドットを形成して情報を印刷する。
【００２２】
図２に示すように、プリンター機構部３０は、搬送経路３２と印刷部３５と後述する手切りカッター４０とを備える。搬送経路３２は、ロール紙収容部２６を始点として紙排出口２０を終点とする湾曲した形状に形成され、記録紙Ｐが搬送される。ロール紙収容部２６には、記録紙Ｐとしての感熱紙をロール状に巻きあげたロール紙Ｒが回転自在に収容される。
【００２３】
印刷部３５は、搬送経路３２に沿って紙排出口２０近傍に配置され、サーマルヘッド３６とヘッド保持機構３７とプラテン３４とを有している。なお、サーマルヘッド３６とヘッド保持機構３７とは上ケース１５側に、プラテン３４は開閉蓋１８側に分離可能な状態で配設されている。サーマルヘッド３６は、長矩形形状を呈しており、図示しない複数の発熱素子が図中Ｙ方向（長手方向）に列状に形成されている。このサーマルヘッド３６は、ヘッド保持機構３７に保持されており、図示しないヘッド押圧バネによってプラテン３４方向に付勢されている。
【００２４】
プラテン３４は、ゴム等の弾性部材により円筒形のローラー状に形成され、図示しない軸受を介して開閉蓋１８に回転可能に支持されている。図１に示す開閉蓋１８が閉じられた状態では、プラテン３４は、記録紙Ｐを挟んでサーマルヘッド３６と押圧状態で対峙する。プラテン３４は、図示しない紙送りモーターより駆動力を得て回転駆動する。そのため、サーマルヘッド３６とプラテン３４とに挟持される記録紙Ｐは搬送経路３２に沿って搬送される。すなわち、本実施形態に係る携帯型プリンター１０の印刷部３５は、記録紙搬送の機能を兼ねている。制御部は、サーマルヘッド３６や紙送りモーター等を統括的に制御する。
【００２５】
上述の携帯型プリンター１０は、印刷部３５によって、ロール紙Ｒから繰り出される記録紙Ｐを搬送経路３２に沿って搬送し、サーマルヘッド３６の複数の発熱素子を選択的に発熱駆動して記録紙Ｐの印刷面に所望の情報を印刷する。情報が記録された記録紙Ｐは、図１に示す紙排出口２０から排出される。
【００２６】
なお、本実施形態に係る携帯型プリンター１０は、物流・商流等の分野において使用され、オペレーターが自身のベルトや肩より吊下げ、作業現場で荷物や商品の受発注書、支払に関するレシート等を発行する。オペレーターは、バーコードリーダーやカードリーダー等の情報入力端末を使用して携帯型プリンター１０が印刷する情報を入力する。情報が印刷された記録紙Ｐは、紙排出口２０より排出され、後述する手切りカッターによって任意の長さに切断され発行される。
【００２７】
（手切りカッターについて）
（第１実施形態）
ここで、第１実施形態に係る手切りカッターについて図１（ａ）および図３を参照して説明する。図３は、第１実施形態に係る手切りカッターを説明する図である。図３に示すＸ方向、Ｙ方向およびＺ方向は、図１に示すＸ方向、Ｙ方向およびＸ方向と同一な方向を示す。
【００２８】
図１（ａ）、図３に示すように、手切りカッター４０は、例えば金属板などが好適に適用され略長方形形状に形成され、開閉蓋１８側の紙排出口２０ａ側に配置される。この手切りカッター４０は、外装ケース１２の面１２ａ（表面）に対して立ち上がるように配置されている。なお、この手切りカッター４０の面１２ａよりの立ち上がり角度は、紙排出口２０から排出される記録紙Ｐの走行の妨げにならない範囲であればよい。但し、可能な限り立ち上がっていることが好ましい。
【００２９】
図３に示すように、第１実施形態に係る手切りカッター４０は、１つの長辺部には図中Ｙ方向に沿って刃部４２が形成されている。この刃部４２は、鋸状の刃であってもよいし、金属板のエッジを利用した直線刃であってもよい。刃部４２の刃筋方向の両側には刃筋より突出する規制部としての突起部４３（本実施形態では、突起部４３ａ，４３ｂ）が形成されている。この突起部４３ａと突起部４３ｂとの間隔は、使用される記録紙Ｐの紙幅よりやや広い間隔となっている。
【００３０】
以下、本第１実施形態の作用および効果を記載する。
（１）上述の構成を有する手切りカッター４０を有する携帯型プリンター１０において、紙排出口２０から排出される印刷済の記録紙Ｐは、手切りカッター４０の立ち上がりに沿って進み、刃部４２を境として垂れ下がる。そのため、オペレーターが記録紙Ｐをカットする場合、記録紙Ｐに対して所謂重力方向に力を付加すればよい。その結果、吊下げ状態であっても携帯型プリンター１０の余分な動きを抑えて、記録紙Ｐを比較的容易に切断することができる。
【００３１】
（２）上述の構成を有する手切りカッター４０を有する携帯型プリンター１０において、紙排出口２０から排出される印刷済の記録紙Ｐは、手切りカッター４０の立ち上がりに沿って進み、刃部４２を境として垂れ下がる。このとき、手切りカッター４０は、サーマルヘッド３６の発熱素子を有する面と対向する方向に設けられている。そのため、オペレーターは、吊下げ状態にある携帯型プリンター１０の紙排出口２０から排出される記録紙Ｐの印刷面を直視することができる。その結果、記録紙Ｐのカット位置を容易に判断することができ、紙送りスイッチ１７を操作して記録紙Ｐのカット位置と手切りカッター４０の刃部４２とを容易に位置合わせすることができる。
【００３２】
（３）紙排出口２０から排出される印刷済の記録紙Ｐは、手切りカッター４０の刃部４２に設けられた突起部４３ａと突起部４３ｂとの間隔が記録紙Ｐの紙幅よりやや広い間隔となっているため、突起部４３ａと突起部４３ｂとの間を通過する。そのため、オペレーターが、手切りカッター４０を用いて記録紙Ｐを切断するとき、切断される記録紙Ｐの一方の端部が突起部４３ａおよび突起部４３ｂのうちのいずれかに当り、記録紙Ｐが紙幅方向に滑ることを低減することができる。その結果、記録紙Ｐに付加される力が逃げてしまうことを低減して、記録紙Ｐをより確実に切断することができる。
【００３３】
（第２実施形態）
ここで、第２実施形態について、図４を参照して説明する。図４は第２実施形態に係る手切りカッターを説明する図である。図４に示すＸ方向、Ｙ方向およびＺ方向は、図１に示すＸ方向、Ｙ方向およびＸ方向と同一な方向を示す。なお、第１実施形態と同様な構成および内容については、符号を等しくして説明を省略する。
【００３４】
図４に示すように、第２実施形態に係る手切りカッター４０Ａは、１つの長辺部には図中Ｙ方向に沿って刃部４２が形成されている。刃部４２の刃筋方向の両側には刃筋より内側に凹んだ規制部としての凹部５０（本実施形態では、凹部５０ａ，５０ｂ）が形成されている。この凹部５０ａおよび凹部５０ｂは、記録紙Ｐの端部が通過する領域近傍にそれぞれ形成されている。
【００３５】
以下、本発明の第２実施形態の作用および効果を記載する。
（１）上述の構成を有する手切りカッター４０Ａを有する携帯型プリンター１０において、紙排出口２０から排出される印刷済の記録紙Ｐは、手切りカッター４０Ａの立ち上がりに沿って進み、刃部４２を境として垂れ下がる。この場合も、第１実施形態と同様に、オペレーターは、紙排出口２０から排出される記録紙Ｐの印刷面を直視することができ、記録紙Ｐのカット位置と手切りカッター４０Ａの刃部４２とを容易に位置合わせすることができる。
【００３６】
（２）紙排出口２０から排出される印刷済の記録紙Ｐは、少なくともどちらかの端部が、手切りカッター４０Ａの刃部４２に設けられた凹部５０ａもしくは凹部５０ｂの近傍を通過する。そのため、オペレーターが、手切りカッター４０Ａを用いて記録紙Ｐを切断するとき、直線状の刃部４２において、記録紙Ｐの端部が刃部４２と交差する位置に凹部５０ａもしくは凹部５０ｂが設けられている。その結果、切断され始める記録紙Ｐの端部が凹部５０ａもしくは凹部５０ｂに喰いこみ、凹部５０ａもしくは凹部５０ｂを起点に、記録紙Ｐが幅方向に滑ることなく切断を開始することができる。従って、記録紙Ｐに付加される力が逃げてしまうことを低減して、記録紙Ｐをより確実に切断することができる。
【００３７】
なお、第２実施形態に係る携帯型プリンター１０も、前述の第１実施形態で説明した効果（２）と同様な効果を有する。
【００３８】
以上、本発明の実施形態について説明したが、上記実施形態に対しては、本発明の趣旨から逸脱しない範囲で様々な変形を加えることができる。例えば上記実施形態以外の変形例は、以下の通りである。
【００３９】
上記実施形態では、手切りカッター４０，４０Ａとして金属板を採用した場合について説明したがこれに限定しない。手切りカッター４０，４０Ａは、プラステック等の成形品であってもよい。この場合は、突起部４３ａ，４３ｂおよび凹部５０ａ，５０ｂの形状の自由度が増す。上記実施形態では、手切りカッター４０，４０Ａの刃部４２として鋸状の刃や直線刃である場合について説明したがこれに限定しない。手切りカッター４０，４０Ａは、例えば、外装ケース１２の紙排出口２０を構成する外装ケース１２の直線部であってもよい。印刷済の記録紙Ｐをカットできるものであって、突起部４３ａ，４３ｂもしくは凹部５０ａ，５０ｂを形成可能なものであればよい。また、突起部４３ａ，４３ｂもしくは凹部５０ａ，５０ｂは、２つセットである必要はない。どちらか１つでもよい。
【符号の説明】
【００４０】
１０…携帯型プリンター、１２…外装ケース、１４…ケース本体、１５…上ケース、１８…開閉蓋、２０，２０ａ，２０ｂ…紙排出口、２２…ベルトクリップ、２４…ショルダーフック、２６…ロール紙収容部、３０…プリンター機構部、３２…搬送経路、３４…プラテン、３５…印刷部、３６…サーマルヘッド、４０，４０Ａ…手切りカッター、４２…刃部、４３ａ，４３ｂ…突起部、５０ａ，５０ｂ…凹部、Ｐ…記録紙、Ｒ…ロール紙。
【図１】
2014151641.tif 000003
【図２】
2014151641.tif 000004
【図３】
2014151641.tif 000005
【図４】
2014151641.tif 000006